(57)【要約】【課題】、一対の側部の夫々に貫通孔が形成され、この貫通孔の部分に支持力を向上させる部材を設けた場合に、側部の変形を抑制する部材が設けられていない場合と比して、首の蒸れを抑制した上で、頭を左右に傾けたときに側部が変形するのを抑制する首枕を得ることである。【解決手段】基本部材は、頭を左右に傾けたときに側部が変形するのを抑制する抑制部材を有する。さらに、側部には、抑制部材が横切ると共に、首の反対側から空気を首側に取り込む貫通孔が形成されている。【選択図】図１
2019063170.tif 000002
【特許請求の範囲】
【請求項１】
首の後方部分を支持する基部と、前記基部の両端から突出して首の左右部分を支持する一対の側部と、頭を左右に傾けたときに前記側部が変形するのを抑制する抑制部材とを有するＵ字状で、弾性変形可能な基本部材と、
前記基本部材を覆うと共に、通気が通る表皮部材と、を備える首枕であって、
一対の前記側部には、前記抑制部材が横切ると共に、前記首の反対側から空気を首側に取り込む貫通孔が夫々形成されていることを特徴とする首枕。
【請求項２】
前記抑制部材は、空気が通る板状の部材であって、板面が首側を向くように、前記側部の内部で前記貫通孔を横切るように前記基本部材の下方から前記基本部材の内部に挿入されている請求項１に記載の首枕。
【発明の詳細な説明】
【技術分野】
【０００１】
本発明は、仮眠の際に首に巻いて用いる首枕に関する。
【背景技術】
【０００２】
特許文献１には、寝た姿勢で睡眠や休息をとるとき、首部分を支えて頚椎が本来の形状を維持できるようにし、首筋をリラックス状態とし、首筋のはりや肩のこりが防げるようにした頚椎保護用首枕が記載されている。
【先行技術文献】
【特許文献】
【０００３】
【特許文献１】特開２００２−１７７１１６号公報
【発明の概要】
【発明が解決しようとする課題】
【０００４】
前述したような、Ｕ字状とされており、首の後方部分を支持する基部と、首の左右部分（側方部分）を支持する一対の側部とを含んで構成されている。そして、一対の側部は、首を左右から挟みようになっている。このため、首の左右部分が蒸れてしまうことがある。そして、この蒸れを抑制するために、外部から空気を取り込む貫通孔を側部に形成させることが考えられる。しかし、側部に貫通孔を形成させると、頭を左右に傾けたときに側部が変形してしまう。つまり、首の左右部分を支持する支持力が低下し、首が必要以上に傾いてしまうものの、その防止手段が存在しなかった。
【０００５】
本発明の課題は、一対の側部の夫々に貫通孔が形成され、この貫通孔の部分に支持力を向上させる部材を設けた場合に、側部の変形を抑制する部材が設けられていない場合と比して、首の蒸れを抑制した上で、頭を左右に傾けたときに側部が変形するのを抑制することである。
【課題を解決するための手段】
【０００６】
本発明の請求項１に係る首枕は、首の後方部分を支持する基部と、前記基部の両端から突出して首の左右部分を支持する一対の側部と、頭を左右に傾けたときに前記側部が変形するのを抑制する抑制部材とを有するＵ字状で、弾性変形可能な基本部材と、前記基本部材を覆うと共に、通気が通る表皮部材と、を備える首枕であって、一対の前記側部には、前記抑制部材が横切ると共に、前記首の反対側から空気を首側に取り込む貫通孔が夫々形成されていることを特徴とする。
【０００７】
この構成によれば、基本部材において首の左右部分を支持する一対の側部に形成された貫通孔は、首の反対側から空気を首側に取り込む。これにより、首が蒸れるのが抑制される。さらに、抑制部材は、頭を左右に傾けたときに側部が変形するのを抑制する。
【０００８】
このように、一対の側部の夫々に貫通孔が形成され、この貫通孔の部分に支持力を向上させる部材を設けた場合に、側部の変形を抑制する部材が設けられていない場合と比して、首の蒸れを抑制した上で、頭を左右に傾けたときに側部が変形するのを抑制することができる。
【０００９】
本発明の請求項２に係る首枕は、前記抑制部材は、空気が通る板状の部材であって、板面が首側を向くように、前記側部の内部で前記貫通孔を横切るように前記基本部材の下方から前記基本部材の内部に挿入されていることを特徴とする。
【００１０】
この構成によれば、板状の抑制部材は、側部の内部で貫通孔を横切るように基本部材の下方から基本部材の内部に挿入されている。このため、首を傾けたときに、抑制部材が表皮部材を介して首に接することがないため、首に違和感を覚えるのを抑制することができる。
【発明の効果】
【００１１】
本発明の首枕によれば、一対の側部の夫々に貫通孔が形成され、この貫通孔の部分に支持力を向上させる部材を設けた場合に、側部の変形を抑制する部材が設けられていない場合と比して、首の蒸れを抑制した上で、頭を左右に傾けたときに側部が変形するのを抑制することができる。
【図面の簡単な説明】
【００１２】
【図１】本発明の実施形態に係る首枕を示した断面図である。
【図２】本発明の実施形態に係る首枕であって、使用者が頭を傾けた状態を示した断面図である。
【図３】本発明の実施形態に係る首枕を示した斜視図である。
【図４】（Ａ）（Ｂ）本発明の実施形態に首枕に備えられた基本部材を示した底面図、及び断面図である。
【図５】本発明の実施形態に係る首枕を示した分解斜視図である。
【図６】本発明の実施形態に対する第１比較形態に係る首枕を示した断面図である。
【図７】本発明の実施形態に対する第２比較形態に係る首枕を示した断面図である。
【図８】本発明の実施形態に対する第２比較形態に係る首枕であって、使用者が頭を傾けた状態を示した断面図である。
【発明を実施するための形態】
【００１３】
本発明の実施形態に係る首枕（ネックピロー）の一例を図１〜図８に従って説明する。なお、以後の説明では、使用者が首枕を装着した状態での方向を用いて首枕を説明する。そして、図中に示すＨは、上下方向（鉛直方向）を示し、矢印Ｗは左右方向（水平方向）を示し、矢印Ｄは前後行方向（水平方向）を示す。
【００１４】
（構成）
首枕１０は、例えば、飛行機の座席に座った使用者Ｓの首Ｋを支持するものであって、図３に示されるように、前方が開放されたＵ字状とされている。そして、首枕１０は、図５に示されるように、骨格部材である基本部材１２と、基本部材１２の外表面を覆う表皮部材３０と、基本部材１２の変形を抑制する一対の抑制部材４０とを備えている。
【００１５】
〔基本部材１２〕
基本部材１２は、ウレタンフォーム（発泡ポリウレタン）を用いて一体的に形成され、弾性変形可能とされている。そして、基本部材１２は、図５に示されるように、使用者Ｓの首Ｋ（図３参照）の後方部分を支持する基部１４と、首Ｋの左右部分（側方部分）を支持する一対の側部１６とを含んで構成されている。
【００１６】
基部１４は、左右方向に延びており、断面が上下方向に延びると共に角が丸められた矩形状とされている。
【００１７】
一対の側部１６は、基部１４の両端から前方に突出して延びており、使用者Ｓの首Ｋを外側から囲むように、下方から見て湾曲している（図４（Ａ）参照）。さらに、側部１６において長手方向に直交した断面は、図４（Ｂ）に示されるように、上下方向に延びると共に角が丸められた矩形状とされている。また、一対の側部１６には、左右方向に側部１６を貫通する貫通孔１６Ａと、貫通孔１６Ａを横切ると共に上下方向に延びる溝１６Ｂとが形成されている。つまり、貫通孔１６Ａは、首Ｋの反対側（首Ｋに対して反対側）から空気を首Ｋ側に取り込むように一対の側部１６に夫々形成されている。
【００１８】
貫通孔１６Ａは、図４（Ａ）、図５に示されるように、夫々の側部１６に２個ずつ形成されており、２個の貫通孔１６Ａは、側部１６が基部１４から突出する方向（前後方向）に並んでいる。
【００１９】
溝１６Ｂは、図４（Ａ）に示されるように、下方から見て、側部１６の左右方向の中央側の部分で、側部１６の外縁に沿って前後方向に延びている。さらに、側部１６において長手方向に直交した断面では、溝１６Ｂは、図４（Ｂ）に示されるように、上下方向に延びる矩形状とされており、側部１６の下面で外部に開放されている。そして、溝１６Ｂは、２個の貫通孔１６Ａを横切っている（図４（Ａ）参照）。
【００２０】
〔表皮部材３０〕
表皮部材３０は、通気性を有したポリエステル製の布を用いて、図５に示されるように、基本部材１２を外表面ら覆うようにＵ字状に形成されている。なお、通気性については、フラジール形通気性試験機を用いて測定することができ、本実施形態の表皮部材３０は、この試験機を用いた測定値が、５０〔Ｃｍ３／Ｃｍ２・ｓ〕以上とされている。
【００２１】
さらに、表皮部材３０において、貫通孔１６Ａを外側（首Ｋとは反対側）から覆う部分には、網目状のメッシュ部３２が形成されている。そして、首枕１０の外部からメッシュ部３２を通して貫通孔１６Ａに空気が取り込まれるようになっている。
【００２２】
〔抑制部材４０〕
抑制部材４０は、図５に示されるように、一対設けられ、複数の湾曲したポリエステル製の繊維材４０Ａが不規則（三次元状）に接合されることで板状に形成されている。また、互いに接合される繊維材４０Ａの間には、空間が形成されており、抑制部材４０は、空気を通すようになっている。本実施形態では、繊維材４０Ａは、断面円状で繊維径が１〔ｍｍ〕とされている。
【００２３】
そして、板状の抑制部材４０は、板面方向から見て前後方向に延びる矩形状とされており、図１に示されるように、基本部材１２の側部１６に形成された溝１６Ｂに配置されている。つまり、抑制部材４０は、板面が首側を向いており、かつ、貫通孔１６Ａを横切って配置されている。
【００２４】
（作用）
次に、首枕１０の作用について、第１比較形態に係る首枕１１０、及び第２比較形態に係る首枕２１０と比較しつつ説明する。先ず、首枕１１０、及び首枕２１０の構成について、首枕１０と異なる部分を主に説明する。
【００２５】
−首枕１１０の構成−
首枕１１０は、図６に示されるように、基本部材１１２と、基本部材１１２の外表面を覆う表皮部材１３０とを備えている。なお、首枕１１０は、抑制部材４０を備えていない。
【００２６】
また、基本部材１１２の側部１１６には、貫通孔及び溝が形成されていない。さらに、表皮部材１３０には、網目状のメッシュ部が形成されていない。
【００２７】
−首枕２１０の構成−
首枕２１０は、図７に示されるように、基本部材２１２と、基本部材２１２の外表面を覆う表皮部材３０とを備えている。なお、首枕２１０は、抑制部材４０を備えていない。
【００２８】
また、基本部材２１２の側部２１６には、貫通孔１６Ａが形成されている。なお、側部２１６には、溝部は形成されていない。
【００２９】
−首枕１０、１１０、２１０の作用−
次に、首枕１０の作用について説明する。なお、首枕１１０及び首枕２１０の作用については、首枕１０の作用と異なる部分を主に説明する。
【００３０】
首枕１０を使用する場合には、図３に示されるように、使用者Ｓは、首枕１０を首Ｋに装着する。この状態で、首Ｋの後方部分は、首枕１０の基本部材１２の基部１４（図５参照）に支持されており、首Ｋの左右部分は、首枕１０の基本部材１２の側部１６（図５参照）に支持されている。
【００３１】
そして、図１に示されるように、メッシュ部３２を通って貫通孔１６Ａに取り込まれた空気が、抑制部材４０を通って（通過して）通気性を有する表皮部材３０を介して使用者Ｓの首Ｋの左右部分に触れる。これにより、首Ｋの左右部分が蒸れてしまうのが抑制される。
【００３２】
同様に、首枕２１０を使用する場合には、図７に示されるように、メッシュ部３２を通って貫通孔１６Ａに取り込まれた空気が、通気性を有する表皮部材３０を介して使用者Ｓの首Ｋの左右部分に触れる。これにより、首Ｋの左右部分が蒸れてしまうのが抑制される。
【００３３】
これに対して、首枕１１０を使用する場合には、図６に示されるように、首枕１１０の基本部材１１２の側部１１６には貫通孔が形成されていない。このため、空気が、首Ｋの左右部分に触れることはない。これにより、首Ｋの左右部分が蒸れてしまう。
【００３４】
一方、首枕１０を使用した使用者Ｓが、頭Ａを左右方向の何れか一方に傾けると、図２に示されるように、使用者Ｓの頬が、基本部材１２の側部１６を上方から下方に向けて押す。ここで、基本部材１２の側部１６には、溝１６Ｂが形成されており、溝１６Ｂには、前後方向から見て、上下方向に延びる矩形状の抑制部材４０が貫通孔１６Ａを横切って配置されている。このため、使用者Ｓの頬によって側部１６が下方に押されても、貫通孔１６Ａの変形が抑制される。換言すれば、使用者Ｓの頬によって側部１６が下方に押されても、側部１６の変形が抑制される。
【００３５】
これに対して、首枕２１０を使用する場合には、図８に示されるように、首枕２１０には貫通孔１６Ａを横切って配置されている抑制部材が備えられていない。このため、使用者Ｓの頬によって側部２１６が下方に押されることで、貫通孔１６Ａが変形する。換言すれば、使用者Ｓの頬によって側部２１６が下方に押されることで、側部２１６が変形する。
【００３６】
（まとめ）
以上説明したように、首枕１０を用いることで、首枕１１０（図６参照）を用いる場合と比して、首Ｋの左右部分が蒸れてしまうのを抑制することができる。さらに、首枕１０を用いることで、首枕２１０（図８参照）を用いる場合と比して、使用者Ｓが頭Ａを左右方向の何れか一方に傾けたときの側部１６の変形を抑制することができる。
【００３７】
つまり、一対の側部１６の夫々に貫通孔１６Ａが形成され、この貫通孔１６Ａの部分に支持力を向上させる部材を設けた場合に、側部の変形を抑制する部材が設けられていない場合と比して、首Ｋの蒸れを抑制した上で、頭Ａを左右に傾けたときに側部１６が変形するのを抑制することができる。
【００３８】
また、抑制部材４０は、側部１６の内部で貫通孔１６Ａを横切るように基本部材１２の下方から基本部材１２の内部に挿入されている。このため、首Ｋを傾けたときに、抑制部材４０が表皮部材３０を介して首Ｋに接することがないため、首Ｋに違和感を覚えるのを抑制することができる。
【００３９】
また、首枕１０の表皮部材３０には、首枕１０の外部から貫通孔１６Ａに空気を取り込むための網目状のメッシュ部３２が形成されている。このため、表皮部材にメッシュ部が形成されていない場合と比して、貫通孔１６Ａに空気が取り込まれることで首Ｋの蒸れを抑制することができる。
【００４０】
また、抑制部材４０は、空気が通る板状の部材とされており、側部１６の内部で貫通孔１６Ａを横切るように板面が首Ｋ側を向いて配置されている。このため、抑制部材が、貫通孔１６Ａを横切るように配置されていない場合と比して、使用者Ｓの頬によって側部１６が下方に押されたときに、貫通孔１６Ａが変形するのを抑制することができる。換言すれば、抑制部材が、貫通孔１６Ａを横切るように配置されていない場合と比して、使用者Ｓの頬によって側部１６が下方に押されたときに、側部１６が変形するのを抑制することができる。
【００４１】
また、抑制部材４０は、複数の湾曲したポリエステル製の繊維材４０Ａが不規則（三次元状）に接合されることで形成されている。このため、側部１６が使用者Ｓの頬によって押される方向が、前後方向から見て鉛直方向に対して傾いた場合でも、繊維材が規則的に接合されている抑制部材が形成されている場合と比して、側部１６の変形を抑制することができる。つまり、側部１６が使用者Ｓの頬によって押される方向が変わった場合でも、繊維材が規則的に接合されている抑制部材が形成されている場合と比して、側部１６の変形を抑制することができる。
【００４２】
また、一方の側部１６に形成された２個の貫通孔１６Ａは、前後方向（側部１６の突出方向）に並んでいる。このため、貫通孔１６Ａが上下方向に並んでいる場合と比して、上下方向における側部１６の変形を抑制することができる。
【００４３】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、貫通孔１６Ａは、基本部材１２の側部１６に形成されたが、首Ｋの後方部分を支持する基部に貫通孔を形成させ、かつ、基部が変形するのを抑制する抑制部材を設けてもよい。
【００４４】
また、上記実施形態では、抑制部材４０は、複数の湾曲したポリエステル製の繊維材４０Ａが不規則（三次元状）に接合されることで形成されたが、頭Ａを左右に傾けたときに側部の変形を抑制すればよく、例えば、抑制部材が硬質のハニカム部材であってもよい。
【００４５】
また、上記実施形態では、一方の側部１６に２個の貫通孔１６Ａが形成されたが、一方の側部に１個の貫通孔が形成されてもよく、また、３個以上の貫通孔が形成されてもよい。
【００４６】
また、上記実施形態では、フラジール形通気性試験機を用いた測定結果が５０〔Ｃｍ３／Ｃｍ２・ｓ〕以上の表皮部材３０を用いたが、５０〔Ｃｍ３／Ｃｍ２・ｓ〕未満であってもよい。しかし、この場合には、表皮部材の通気性が低下する。
【００４７】
また、上記実施形態では、特に説明しなかったが、抑制部材４０には、東洋紡株式会社のブレスエアー（登録商標）等をトリミングして用いることができる。
【００４８】
また、上記実施形態では、抑制部材４０は、基本部材１２とは別の部材として記載されたが、抑制部材４０が、基本部材１２を構成する部材であってもよい。
【符号の説明】
【００４９】
１０    首枕
１２    基本部材
１４    基部
１６    側部
１６Ａ        貫通孔
１６Ｂ        溝
３０    表皮部材
３２    メッシュ部
４０    抑制部材
４０Ａ        繊維材
Ａ      頭
Ｋ      首
Ｓ      使用者
【図１】
2019063170.tif 000003
【図２】
2019063170.tif 000004
【図３】
2019063170.tif 000005
【図４】
2019063170.tif 000006
【図５】
2019063170.tif 000007
【図６】
2019063170.tif 000008
【図７】
2019063170.tif 000009
【図８】
2019063170.tif 000010